(57)【要約】【課題】画像処理に係る演算負荷の軽減を図りつつ、位置関係を容易に把握することのできる地図表示装置を提供する。【解決手段】地図表示装置１は、まず、各種操作部２０によって指定された拡大中心点Ｐ（ひいては、拡大部）を含み、且つ、上記各種操作部２０によって選択された最大縮尺以下の通常地図画Ｃ１〜Ｃ３を外部メモリ３０から読み出す。地図表示装置１は、次に、その読み出した通常地図画Ｃ１〜Ｃ３からその縮尺に対応する領域Ａ１〜Ａ３が抽出されるようにマスクするマスクパーツＭ１〜Ｍ３を通常地図画Ｃ１〜Ｃ３各々に対して生成する。そして、地図表示装置１は、外部メモリ３０から読み出した通常地図画Ｃ１〜Ｃ３及びその各々に対して生成したマスクパーツＭ１〜Ｍ３を縮尺順に階層状に交互に重ねることで、部分拡大地図画を構成する。【選択図】図２
2010243605.tif 000002
【特許請求の範囲】
【請求項１】
拡大部に近づくほど縮尺が大きくなる地図画である部分拡大地図画を表示する地図表示装置であって、
互いに縮尺の異なる複数の原地図画を記憶する原地図画記憶部と、
前記原地図画記憶部から原地図画を少なくとも３つ読み出し、その読み出した原地図画のうち最大縮尺の原地図画の表示領域が前記拡大部となるマスクパーツ、最大縮尺の原地図画と最小縮尺の原地図画以外の中間縮尺の原地図画の表示領域がその中間縮尺の原地図画よりも１つ縮尺の大きい原地図画の表示領域に隣接する環状領域となるマスクパーツ、及び最小縮尺の原地図画の表示領域がその最小縮尺の次に縮尺の小さい原地図画の表示領域の外側となるマスクパーツを生成するマスクパーツ生成部と、
前記複数の原地図画及びマスクパーツを縮尺順に階層状に交互に重ねることで前記部分拡大地図画を構成し、その構成した部分拡大地図画を表示画面に画面表示する表示制御部とを備えることを特徴とする地図表示装置。
【請求項２】
請求項１に記載の地図表示装置において、
前記原地図画記憶部から読み出された原地図画の表示領域の境界を含む領域に対し、これら領域間を滑らかに連結する画像処理を実行する画像処理部をさらに備えることを特徴とする地図表示装置。
【請求項３】
請求項１または２に記載の地図表示装置において、
前記拡大部の位置を指定する位置指定部をさらに備え、
前記マスクパーツ生成部は、前記位置指定部によって指定された拡大部の位置に基づいて、マスクパーツを生成することを特徴とする地図表示装置。
【請求項４】
請求項１〜３のいずれか一項に記載の地図表示装置において、
前記部分拡大地図画を構成する原地図画の最大縮尺を指定する縮尺指定部をさらに備え、
前記マスクパーツ生成部は、前記縮尺指定部によって指定された最大縮尺以下の原地図画を前記原地図画記憶部から読み出すことを特徴とする地図表示装置。
【請求項５】
請求項１〜４のいずれか一項に記載の地図表示装置において、
前記部分拡大地図画と前記原地図画との間で、前記表示画面に画面表示される地図画の切替を指示する切替指示部をさらに備え、
前記表示制御部は、前記切替指示部によって切替が指示されることに基づいて、切替指示された地図画を前記表示画面に画面表示することを特徴とする地図表示装置。
【発明の詳細な説明】
【技術分野】
【０００１】
本発明は、拡大部に近づくほど縮尺が大きくなる地図画である部分拡大地図画を表示する地図表示装置に関する。
【背景技術】
【０００２】
従来、特許文献１に記載の技術が知られている。この文献に記載の地図表示装置は、まず、縮尺一定の地図画である原地図画を表示画面上に表示する。ここで、表示中の原地図画に対して例えばマウスカーソル等によって拡大部が指定されると、地図表示装置は、拡大部については、縮尺のより大きな拡大地図画を表示し、拡大部外の領域については、そのまま縮尺一定の原地図画を表示する。
【０００３】
また、この特許文献１に記載の地図表示装置は、マウスカーソル等によって所定操作が行われると、縮尺一定の原地図画を表示することなく、縮尺のより大きな拡大地図画に切り換える。
【０００４】
一方、特許文献２に記載の技術も知られている。この文献に記載の地図表示装置は、当該装置が搭載される車両の現在地付近の領域を大きな縮尺の地図画にて表示するとともに、地図画上のより一層遠隔の領域を小さな縮尺の地図画にて表示する。
【先行技術文献】
【特許文献】
【０００５】
【特許文献１】特開２０００−２２１８７４号公報
【特許文献２】特開平９−２４４５２８号公報
【発明の概要】
【発明が解決しようとする課題】
【０００６】
ところで、上記特許文献１に記載の技術では、拡大部における縮尺及び拡大部外における縮尺が異なることに起因して、拡大部内外の位置関係を把握することが難しい場合がある。具体的には、例えば、拡大部外における道路が拡大部内におけるいずれの道路に対応するか把握しにくい。
【０００７】
また、上記特許文献１に記載の技術では、所定操作が行われると、縮尺の小さな原地図画から縮尺の大きな拡大地図画に切り替えられるため、やはり、縮尺の切替前後で位置関係を把握することが難しい場合がある。
【０００８】
これに対し、上記特許文献２に記載の技術では、拡大部に近づくほど縮尺が大きくなるため、こうした位置関係を容易に把握することが可能にはなる。
【０００９】
しかしながら、上記特許文献２に記載の技術では、部分拡大地図画を合成するに当たり、縮尺一定の原地図画を部分的に拡大変換及び縮小変換するため、画像処理に係る演算負荷が増大してしまう。
【００１０】
本発明は、上記実情に鑑みてなされたものであって、その目的は、画像処理に係る演算負荷の軽減を図りつつ、位置関係を容易に把握することのできる地図表示装置を提供することにある。
【課題を解決するための手段】
【００１１】
こうした目的を達成するため、請求項１に記載の発明では、拡大部に近づくほど縮尺が大きくなる地図画である部分拡大地図画を表示する地図表示装置であって、互いに縮尺の異なる複数の原地図画を記憶する原地図画記憶部と、前記原地図画記憶部から原地図画を少なくとも３つ読み出し、その読み出した原地図画のうち最大縮尺の原地図画の表示領域が前記拡大部となるマスクパーツ、最大縮尺の原地図画と最小縮尺の原地図画以外の中間縮尺の原地図画の表示領域がその中間縮尺の原地図画よりも１つ縮尺の大きい原地図画の表示領域に隣接する環状領域となるマスクパーツ、及び最小縮尺の原地図画の表示領域がその最小縮尺の次に縮尺の小さい原地図画の表示領域の外側となるマスクパーツを生成するマスクパーツ生成部と、前記複数の原地図画及びマスクパーツを縮尺順に階層状に交互に重ねることで前記部分拡大地図画を構成し、その構成した部分拡大地図画を表示画面に画面表示する表示制御部とを備えることを特徴とする。
【００１２】
上記請求項１に記載の発明では、拡大部に近づくほど縮尺が大きくなる部分拡大地図画が表示されるため、位置関係を容易に把握することができるようになる。また、部分拡大地図画を構成するに当たり、原地図画及びマスクパーツを縮尺順に階層状に交互に重ねるため、縮尺一定の原地図画を部分的に拡大変換及び縮小変換して部分拡大地図画を構成する場合に比較して、画像処理に係る演算負荷の低減を図ることができるようになる。したがって、画像処理に係る演算負荷の軽減を図りつつ、位置関係を容易に把握することができるようになる。
【００１３】
なお、縮尺一定の原地図画を部分的に拡大変換及び縮小変換することで部分拡大地図画を構成する（合成する）場合、その合成された部分拡大地図画に含まれる情報内容は、その原地図画に含まれる情報内容と何ら変わらない。しかしながら、上記請求項１に記載の発明では、互いに縮尺の異なる複数の原地図画から部分的に抽出することで部分拡大地図を構成するため、その構成された部分拡大地図画に含まれる情報内容を増大させることができるようになる。
【００１４】
請求項１に記載の構成において、請求項２に記載の発明では、前記原地図画記憶部から読み出された原地図画の表示領域の境界を含む領域に対し、これら領域間を滑らかに連結する画像処理を実行する画像処理部をさらに備えることとした。これにより、地図表示装置は、拡大部に近づくほど縮尺が滑らかに大きくなる部分拡大地図画を構成することができるようになる。なお、上記領域間を滑らかに連結する画像処理を実行するため、画像処理にかかる演算負荷の増大が懸念されるものの、上記表示領域の境界を含む領域に限定して画像処理を実行するため、画像処理にかかる演算負荷はそれほど増大しない。
【００１５】
請求項１または２に記載の構成において、請求項３に記載の発明では、前記拡大部の位置を指定する位置指定部をさらに備え、前記マスクパーツ生成部は、前記位置指定部によって指定された拡大部の位置に基づいて、マスクパーツを生成することとした。これにより、拡大部の位置を指示することができるようになる。
【００１６】
請求項１〜３のいずれか一項に記載の構成において、請求項４に記載の発明では、前記部分拡大地図画を構成する原地図画の最大縮尺を指定する縮尺指定部をさらに備え、前記マスクパーツ生成部は、前記縮尺指定部によって指定された最大縮尺以下の原地図画を前記原地図画記憶部から読み出すことを特徴とする。これにより、部分拡大地図画を構成する原地図画の最大縮尺を指定することができるようになる。
【００１７】
請求項１〜４のいずれか一項に記載の構成において、請求項５に記載の発明では、前記部分拡大地図画と前記原地図画との間で、前記表示画面に画面表示される地図画の切替を指示する切替指示部をさらに備え、前記表示制御部は、前記切替指示部によって切替が指示されることに基づいて、切替指示された地図画を前記表示画面に画面表示することを特徴とする。これにより、表示画面に画面表示される地図画を部分拡大地図画と原地図画との間で切り替えることができるようになる。
【図面の簡単な説明】
【００１８】
【図１】本発明に係る地図表示装置の位置実施の形態について、その構成を示すブロック図である。
【図２】拡大部に近づくほど縮尺が大きくなる地図画である部分拡大地図画の構成例を示す模式図である。
【図３】部分拡大地図画の一例を示す図である。
【図４】通常地図画の一例を示す図である。
【発明を実施するための形態】
【００１９】
以下、本発明に係る地図表示装置の一実施の形態について、図１〜図４を参照して説明する。なお、図１は、地図表示装置１の構成例を示すブロック図であり、図２は、拡大部に近づくほど縮尺が大きくなる地図画である部分拡大地図画の構成例を示す模式図である。
【００２０】
地図表示装置１は、当該装置１を搭載する車両の現在地から入力された目的地までの経路を案内する車載ナビゲーションシステムの一部として具体化されており、図１に示されるように、ＥＣＵ１０、各種操作部２０、外部メモリ３０、及び表示画面４０を備えて構成されている。
【００２１】
このうち、各種操作部２０は、例えばプッシュボタン等によって構成され、表示画面４０の周囲に設けられ、ＥＣＵ１０に接続されている。ユーザは、表示画面４０に表示される地図画上にて、同じく表示画面４０に表示されるマウスカーソルを移動させることにより、地図上の任意の地点を拡大中心点として指定することが可能（拡大中心点を自由に移動可能）である。各種操作部２０によって拡大中心点が指定されると、その指定された拡大中心点はＥＣＵ１０に入力され、ＥＣＵ１０は、拡大中心点を中心とする一定半径の円領域を拡大部としている。
【００２２】
また、ユーザは、各種操作部２０を操作することにより、上記拡大部に近づくほど縮尺が大きくなる部分拡大地図画を構成する縮尺一定の通常地図画の最大縮尺を、所定縮尺の中から選択することが可能（拡大表示部分の縮尺を自由に変更可能）である。各種操作部２０によって最大縮尺が選択されると、その選択された最大縮尺はＥＣＵ１０に入力される。
【００２３】
また、ユーザは、各種操作部２０を操作することにより、上記部分拡大地図画と通常地図画との間で、表示画面４０に画面表示される地図画の切替を指示することが可能（部分拡大地図画と通常地図画との間で自由に切替可能）である。各種操作部２０によって切替指示が与えられると、その与えられた切替指示がＥＣＵ１０に入力される。なお、各種操作部２０が特許請求の範囲に記載の位置指定部、縮尺指定部、及び切替指示部に相当する。
【００２４】
また、本実施の形態では、各種操作部２０として例えばプッシュボタンを採用したが、これに限らず、上記拡大中心点を指定したり、上記最大縮尺を選択したり、上記切替指示を与えたりすることができれば、任意の操作デバイスを採用することができる。
【００２５】
外部メモリ３０は、例えば公知のフラッシュメモリやハードディスクドライブ装置等によって構成されており、外部メモリ３０には、ＥＣＵ１０によって実行されるプログラムが記憶されているほか、縮尺がエリアによらず一定の地図画である通常地図画が、多数の縮尺に対して記憶されている。これら通常地図画には、その縮尺に応じた内容の情報が含まれている。詳しくは、縮尺が大きい通常地図画には、民家等の小さな建物の外形や幅の狭い道路の外形についてまで詳細な情報が含まれている一方、縮尺が小さい通常地図画には、こうした詳細な情報が割愛され、工場等の大きな建物の外形や国道等の幅の広い道路の外形についての情報が含まれている。また、外部メモリ３０は、ＥＣＵ１０に接続されており、このＥＣＵ１０によって通常地図画が適宜読み出される。なお、通常地図画が特許請求の範囲に記載の原地図画に相当し、外部メモリ３０が特許請求の範囲に記載の原地図画記憶部に相当する。
【００２６】
本実施の形態では、通常地図画は、例えば「１００万分の１」「５０万分の１」「２５万分の１」「１０万分の１」「５万分の１」「１万分の１」「５０００分の１」「１０００分の１」等の縮尺ごとに異なる情報単位（いわゆるレイヤ）、及びその縮尺に応じた一定面積ごとに区切られた情報単位（いわゆるメッシュ）にて、外部メモリ３０に記憶されている。なお、通常地図画の縮尺については、上記縮尺に限らず任意である。また、縮尺とは、分子を「１」とする分数の値を意味しており、その分母の値が小さいほど縮尺は大きく、その分母の値が大きいほど、縮尺は小さい。そして、縮尺が大きいほど、地図上の建物や道路等が大きく表示される。
【００２７】
表示画面４０は、例えばＬＣＤ等によって構成され、車両の乗員が視認可能な車室内の適宜の箇所に配置されている。また、この表示画面４０はＥＣＵ１０に接続されており、このＥＣＵ１０によって上記部分拡大地図画や通常地図画等の画面表示が制御されている。
【００２８】
また、ＥＣＵ１０は、いずれも図示しないＣＰＵ及び内蔵メモリ等を備えた公知のコンピュータであり、内蔵メモリや外部メモリ３０等に予め記憶されたプログラムに従って種々の処理を実行する。
【００２９】
ＥＣＵ１０は、まず、外部メモリ３０から、上記各種操作部２０によって指定された拡大中心点（ひいては拡大部）を含み、且つ、上記各種操作部２０によって選択された最大縮尺以下の通常地図画を少なくとも３つ外部メモリ３０から読み出す。次に、ＥＣＵ１０は、その読み出した通常地図画の表示領域が下記のようになるマスクパーツを生成する。
【００３０】
具体的には、図２に示されるように、ＥＣＵ１０は、上記各種操作部２０によって指定された拡大中心点Ｐを含み、且つ、上記各種操作部２０によって選択された最大縮尺以下の通常地図画として、通常地図画Ｃ１〜Ｃ３を読み出したとする。なお、通常地図画Ｃ１が読み出された通常地図画のうち最大縮尺の通常地図画であり、通常地図画Ｃ２が最大縮尺の原地図画と最小縮尺の原地図画以外の中間縮尺の通常地図画であり、通常地図画Ｃ３が読み出された通常地図画のうち最小縮尺の通常地図画である。
【００３１】
次に、ＥＣＵ１０は、読み出した通常地図画Ｃ１〜Ｃ３のうち最大縮尺の通常地図画Ｃ１から、拡大中心点Ｐを中心とする円形状の表示領域Ａ１が抽出されるように、表示領域Ａ１外側の領域であるマスク領域Ｂ１をマスクするマスクパーツＭ１を生成する。
【００３２】
また、ＥＣＵ１０は、読み出した通常地図画Ｃ１〜Ｃ３のうち縮尺が中程度（最大縮尺の次に大きい縮尺）の通常地図画Ｃ２から、上記表示領域Ａ１に隣接し、且つ、上記拡大中心点Ｐを中心とする円環状の領域である表示領域Ａ２が表示されるように、表示領域Ａ２以外の領域であるマスク領域Ｂ２をマスクするマスクパーツＭ２を生成する。なお、マスク領域Ｂ２は、上記表示領域Ａ１と同一の領域であるマスク領域Ｂ２１と、上記マスク領域Ｂ１から表示領域Ａ２を除外した領域であるマスク領域Ｂ２２とをあわせた領域である。
【００３３】
また、ＥＣＵ１０は、読み出した通常地図画Ｃ１〜Ｃ３のうち最小縮尺の通常地図画Ｃ１から、表示領域Ａ３が表示されるように、この表示領域Ａ３内側の領域であるマスク領域Ｂ３をマスクするマスクパーツＭ３を生成する。なお、マスク領域Ｂ３は、マスクパーツＭ１にてマスクされない表示領域Ａ１及びマスクパーツＭ２にてマスクされない表示領域Ａ２をあわせた領域であり、表示領域Ａ３はマスク領域Ｂ３の外側の領域である。
【００３４】
本実施の形態では、ＥＣＵ１０は、通常地図画Ｃ１〜Ｃ３を読み出していたが、読み出す地図画数は「３」に限られない。より多数の通常地図画を読み出した場合でも、その各々に対するマスクパーツを上記生成方法を拡張することで生成することが可能である。また、表示領域Ａ１は円形状に限らず、矩形状であっても、楕円状であってもよい。同様に、表示領域Ａ２は円環状に限らない。表示領域Ａ１に隣接し、且つ、その周囲を囲う環状領域であればよい。ちなみに、このＥＣＵ１０が特許請求の範囲に記載のマスクパーツ生成部に相当する。
【００３５】
また、ＥＣＵ１０は、外部メモリ３０から読み出した通常地図画Ｃ１〜Ｃ３及びその各々に対して生成したマスクパーツＭ１〜Ｍ３を縮尺順に階層状に交互に重ねることで、部分拡大地図画を構成する。
【００３６】
具体的には、ＥＣＵ１０は、図２に示されるように、ユーザによる視認方向に相当する図中上方から「マスクパーツＭ１→通常地図画Ｃ１→マスクパーツＭ２→通常地図画Ｃ２→マスクパーツＭ３→通常地図画Ｃ３」のように通常地図画Ｃ１〜Ｃ３及びマスクパーツＭ１〜Ｍ３を重ねる。このようにして構成される部分拡大地図画では、拡大中心点Ｐを含む表示領域Ａ１は、縮尺の大きな通常地図画Ｃ１が抽出され、この表示領域Ａ１を囲む領域である周囲領域（表示領域Ａ２に相当）は、縮尺が中程度の通常地図画Ｃ２が表示され、表示領域及び周囲領域を除く領域である外縁領域（表示領域Ａ３に相当）は、縮尺の小さな通常地図画Ｃ３が表示される。そのため、拡大部に近づくほど縮尺が大きくなる地図画である部分拡大地図画が構成される。ちなみに、このＥＣＵ１０が特許請求の範囲に記載の表示制御部に相当する。
【００３７】
ところで、例えば通常地図画Ｃ１の縮尺が通常地図画Ｃ２の縮尺と大きく異なる場合、これら通常地図画Ｃ１及びＣ２の双方に含まれる同一道路の幅は、拡大部及びこの拡大部に隣接する周囲領域の境界において急激に変化し、その道路外形線に段が生じてしまう。こうした道路外形線の段は、例えば通常地図画Ｃ２の縮尺が通常地図画Ｃ３の縮尺と大きく異なる場合にも、その縮尺の差異に起因して同様に生じる。また、道路の外形線に限らず、工場や住宅等、建造物の外形線にも同様に生じてしまう。
【００３８】
そこで、本実施の形態では、ＥＣＵ１０は、上記部分拡大地図画を構成した後、上記表示領域及び上記周囲領域間の境界を含む近傍領域、並びに、上記周囲領域及び上記外縁領域間の境界を含む近傍領域に対し、これら領域間を滑らかに連結する画像処理を行なう。詳しくは、ＥＣＵ１０は、道路や建物等の外形線に生じることのある段を補間し、滑らかな外形線となる画像処理を行なう。なお、こうした画像処理は、公知の技術を用いて実行することができる。
【００３９】
そして、ＥＣＵ１０は、外形線を滑らかにする画像処理を実行した部分拡大地図画を表示画面４０に画面表示する。ちなみに、このＥＣＵ１０が特許請求の範囲に記載の画像処理部に相当する。
【００４０】
以上説明した本実施の形態の地図表示装置１によって表示される部分拡大地図画の一例を図３に示す。図３中にＣ１として示す円は、先のマスクパーツＭ１の表示領域Ａ１とマスク領域Ｂ１との境界に相当し、図３中にＣ２として示す円は、先のマスクパーツＭ２の表示領域Ａ２とマスク領域Ｂ２２との境界に相当する。ちなみに、通常地図画の一例を図４に示す。本実施の形態の地図表示装置１によれば、図３に示すような、拡大部に近づくほど縮尺が大きくなる部分拡大地図画を表示することができるようになる。
【００４１】
上記実施の形態では、地図表示装置１は、まず、各種操作部２０によって指定された拡大中心点Ｐ（ひいては、拡大部）を含み、且つ、上記各種操作部２０によって選択された最大縮尺以下の通常地図画Ｃ１〜Ｃ３を外部メモリ３０から読み出す。地図表示装置１は、次に、その読み出した通常地図画Ｃ１〜Ｃ３からその縮尺に対応する領域Ａ１〜Ａ３が表示されるようにマスクするマスクパーツＭ１〜Ｍ３を通常地図画Ｃ１〜Ｃ３各々に対して生成する。そして、地図表示装置１は、外部メモリ３０から読み出した通常地図画Ｃ１〜Ｃ３及びその各々に対して生成したマスクパーツＭ１〜Ｍ３を縮尺順に階層状に交互に重ねることで、部分拡大地図画を構成した。これにより、拡大部に近づくほど縮尺が大きくなる部分拡大地図画が表示されるため、位置関係を容易に把握することができるようになる。また、部分拡大地図画を構成するに当たり、通常地図画Ｃ１〜Ｃ３及びマスクパーツＭ１〜Ｍ３を縮尺順に階層状に交互に重ねるため、画像処理に係る演算負荷の低減を図ることができるようになる。さらに、互いに縮尺の異なる複数の通常地図画Ｃ１〜Ｃ３から部分的に抽出することで部分拡大地図を構成するため、その構成された部分拡大地図画に含まれる情報内容を増大させることができるようになる。
【００４２】
また、上記実施の形態では、地図表示装置１は、部分拡大地図画を構成した後、表示領域Ａ１及び表示領域Ａ２間の境界を含む近傍領域、並びに、表示領域Ａ２及び表示領域Ａ３間の境界を含む近傍領域に対し、これら領域間を滑らかに連結する画像処理を行なうこととした。これにより、地図表示装置１は、拡大部に近づくほど縮尺が滑らかに大きくなる部分拡大地図画を構成することができるようになる。
【００４３】
なお、本発明に係る地図表示装置１は、上記実施の形態にて例示した構成に限定されるものではなく、本発明の趣旨を逸脱しない範囲において、種々に変形して実施することが可能である。すなわち、上記各実施の形態を適宜変更した例えば次の形態として実施することもできる。
【００４４】
上記実施の形態では、地図表示装置１は、部分拡大地図画を構成した後、上記表示領域Ａ１及び表示領域Ａ２間の境界を含む近傍領域、並びに、上記表示領域Ａ２及び上記表示領域Ａ３間の境界を含む近傍領域に対し、これら領域間を滑らかに連結する画像処理を行なっていたが、こうした画像処理の実行を割愛してもよい。こうした画像処理を行なうことに替え、外部メモリ３０から通常地図画をより多数読み出し、その各々に対するマスクパーツを生成した上で、部分拡大地図画を構成すれば、道路や建物等の外形線を滑らかにすることができるようになる。
【００４５】
上記実施の形態では、拡大中心点Ｐ（ひいては拡大部）を１つのみ指定していたが、これに限らない。他に例えば、拡大中心点Ｐとして、経路案内開始地点及び目的地の２つを指定し、その２つの拡大部に近づくほど縮尺が大きくなる部分拡大地図画を構成・表示してもよい。さらに、拡大部の数は「１つ」や「２つ」に限られず、より多数の拡大部を有する部分拡大地図画を構成・表示してもよい。
【００４６】
上記実施の形態では、拡大中心点Ｐ（ひいては拡大部）として、例えば経路案内開始地点及び目的地等の固定点を指定したが、これに限らず、当該装置が搭載される車両の現在地等の移動点を指定してもよい。これにより、表示画面４０上に移動する拡大部を表示することができるようになる。なお、こうした場合、画像処理に係る演算負荷の低減を図った効果がより顕著にあらわれる。
【００４７】
上記実施の形態では、地図表示装置１は、当該装置１を搭載する車両の現在地から入力された目的地までの経路を案内する車載ナビゲーションシステムの一部として具体化されていたが、これに限らない。他に例えば、携帯電話などのモバイル機器におけるナビゲーションシステムの一部として具体化してもよく、商店街や商業施設等の街頭案内板の一部として具体化してもよい。各種地図表示機器として具体化して有益である。
【符号の説明】
【００４８】
１…地図表示装置、１０…ＥＣＵ（マスクパーツ生成部、表示制御部、画像処理部）、２０…各種操作部（位置指定部、縮尺指定部、切替指示部）、３０…外部メモリ（記憶部）、４０…表示画面
【図１】
2010243605.tif 000003
【図２】
2010243605.tif 000004
【図３】
2010243605.tif 000005
【図４】
2010243605.tif 000006